(57)【要約】【課題】電気設備が不要で、浸水を検知した時に自動的に防水扉を起立させることが出来るもの、即ち人が不在となる夜間等の急激な増水に対し、確実に浸水を防止することができ、しかも駆動源設備がコンパクトで、その設置の自由度が大きく、且つ比較的安価に提供することが出来るばかりでなく市販のガスボンベ組立体を駆動源として使用できる起伏式防水扉を提供する。【解決手段】防水扉１を起立させる空気圧シリンダー６と炭酸ガスボンベ組立体１２間の圧力ガス供給回路中に前記炭酸ガスボンベ組立体１２側から順次減圧タンク１８、弁２６、チーズ２７、流量調整弁２２及びチーズ２３を接続し、前記チーズ２３には排気用流量調整弁２４を、前記チーズ２７には弁２８を接続する。【選択図】図４
2013096093.tif 000002
【特許請求の範囲】
【請求項１】
空気圧シリンダー又は袋体を防水扉起立の駆動手段として用いる起伏式防水扉において、前記駆動手段の駆動源として炭酸ガスボンベ組立体を用い、該炭酸ガスボンベ組立体と前記駆動手段間の圧力ガス供給回路中に減圧タンクを設けたことを特徴とする起伏式防水扉装置。
【請求項２】
前記減圧タンクと前記駆動手段間の圧力ガス供給回路に流量調整弁を設けたことを特徴とする請求項１記載の起伏式防水扉装置。
【請求項３】
前記流量調整弁と前記駆動手段間の圧力ガス供給回路にチーズを介して排気用流量調整弁を設けたことを特徴とする請求項１または２記載の起伏式防水扉装置。
【請求項４】
前記減圧タンクと前記流量調整弁間に圧力ガス供給回路に弁とチーズを順次接続すると共に、前記チーズに試運転・調整用ガス供給源を接続する弁を設けたことを特徴とする請求項３記載の起伏式防水扉装置。
【発明の詳細な説明】
【技術分野】
【０００１】
本発明は、水害時において、ビル、地下街、地下駐車場、地下鉄等の公共的な施設から、更には一般家庭の出入口に、浸水防止のために設置され、駆動源として市販の炭酸ガスボンベ組立体を用いた起伏式防水扉装置に関するものである。
【背景技術】
【０００２】
近年、地球規模で気象状況が大きく変化しており、この日本では予測困難で極めて局地的な「ゲリラ豪雨」といわれる集中豪雨が頻発してきている。
【０００３】
このような状況の中で、出願人は様々なタイプ、例えば、手動又は駆動手段として空気圧シリンダーや油圧シリンダー或いはゴム製の袋体を用いたもの、歯車装置を用いたもの等の起伏式防水扉装置を開発してきたが、これら従来装置には次の問題があった。
【０００４】
（１）手動式の場合、操作には人が介在しているので、急激な増水に対する操作遅れや、人の対応が困難となる夜間等の対応に問題があった。
（２）動力発生に電力を利用する方式の場合は、電気設備が必要となり、停電時の対応や、設備費が高価になるという問題があった。
（３）特許文献１に開示されるような市販の窒素ガスボンベを用いる方式の場合は、ガスボンベが大きいため設置場所に問題があるばかりでなく、圧力ガス供給管路の途中に圧力計やパイロット弁等の付属設備を必要とするため、その調整やメンテナンスを必要とし、面倒であった。
【０００５】
前記（３）の窒素ガスボンベを駆動源として用いる場合、供給圧力ガス圧を１Ｍｐａ（メガ・パスカル）以下にして使用される。窒素ガスボンベのボンベ内圧力は通常１５Ｍｐａであるから、出力ガス圧を１Ｍｐａ以下に低下させなければならない。
【０００６】
窒素ガスボンベの圧力ガスを用いる場合、ガス容量が大きいので、通常付属されている圧力メータと減圧弁を用いて、使用ガス圧を１Ｍｐａ以下に調整して、試運転を行い、そのまま、浸水時に対応することが出来る。ところが、市販の小容量の６Ｍｐａの炭酸ガスボンベ組立体を用いようとした場合、ガス容量が小さく、そしてその構造上、短時間で全量が放出されてしまうので、供給ガス圧の調整、即ち防水扉の開披動作の調整は不可能である。
【０００７】
そのため、従来、特許文献１に開示されるように、圧力ガスを駆動源に用いる起伏式防水扉装置に市販の炭酸ガスボンベ組立体を用いることがあっても、それは弁を開披することに利用したもので、炭酸ガスボンベ組立体の圧力ガスのみで防水扉を起立させるものはなかった。
【先行技術文献】
【特許文献】
【０００８】
【特許文献１】特開２００９−３５８７９号公報
【発明の概要】
【発明が解決しようとする課題】
【０００９】
そこで本発明は、電気設備が不要で、浸水を検知した時に自動的に防水扉を起立させることが出来るもの、即ち人が不在となる夜間等の急激な増水に対し、確実に浸水を防止することができ、しかも駆動源設備がコンパクトで、その設置の自由度が大きく、且つ比較的安価に提供することが出来る市販のガスボンベ組立体を駆動源として使用できる起伏式防水扉を提供しようとするものである。
【課題を解決するための手段】
【００１０】
本発明は、上記の課題を解決するためになされたもので、本発明者は種々試験研究の結果、空気圧シリンダー又は袋体から成る防水扉を開披駆動する駆動手段と、炭酸ガスボンベ組立体間に減圧タンクを設け且つ試運転・調整用ガス供給源を随時接続して、圧力ガス供給回路を調整設定するという方法を採用することにより駆動源として市販の炭酸ガスボンベ組立体を用いる起伏式防水扉装置の実用化に成功したものである。
【００１１】
適切な大きさの減圧タンクを設けることにより減圧タンクの出力ガス圧を１Ｍｐａ以下に低下させることが出来るので、減圧タンクの容量が適切な値になるように設計することにより、駆動手段を駆動するのに必要な圧力ガスを供給することが出来る。
【００１２】
ガス供給量を微調整可能とするため、減圧タンクの出力側と前記駆動手段との間に流量調整弁を設けることが好ましい。そして、その調整により防水扉の起立速度を適正な速度に設定することが出来る。
【００１３】
前記流量調整弁の調整は、後述するガス容量の大きい窒素ガスボンベを用いた試運転、調整用ガス供給源を駆動手段への圧力ガス供給回路に、臨時に接続するように構成することにより炭酸ガスボンベ組立体を使用せずに調整を行うことが出来る。
【００１４】
本発明で用いる炭酸ガスボンベ組立体としては、浸水時に炭酸ガスボンベを開披させる浸水検知カートリッジを具備したもの、又はこの浸水検知カートリッジと炭酸ガスボンベを開披させる手動用作動索を具備したものが用いられる。
【発明の効果】
【００１５】
本発明において設けた減圧タンクの出力側は１Ｍｐａ以下とすることが出来るため減圧タンクと駆動手段間の圧力ガス供給管として可撓性のチューブを用いることが出来るので、圧力ガス供給設備の設置位置の自由度が大きく、また炭酸ガスボンベ組立体は小型であるので、設計の自由度に優れ且つ防水扉装置を安価に提供できる。
【００１６】
圧力ガスの供給は、浸水を検知して自動的に行われるので、人が不在となる夜間等の急激な増水に対し、確実に浸水を防止することができる。なお、炭酸ガスボンベ組立体として手動用作動索を具備した場合は、いつでも防水扉を起立させることが出来る。
【図面の簡単な説明】
【００１７】
【図１】手動で防水扉を起立させた時の本発明実施例の起立設備の配置を示す概略平面図。
【図２】防水扉倒伏時の本発明実施例の縦断側面図。
【図３】防水扉起立時の本発明実施例の縦断側面図。
【図４】本発明実施例の扉体開閉装置の圧力ガス供給回路図。
【発明を実施するための形態】
【００１８】
以下、本発明を駆動手段として空気圧シリンダーを用いた場合の実施例について説明する。しかし、本発明は駆動手段としてゴム製袋体を使用する場合にも適用し得ることは勿論である。
【実施例】
【００１９】
図1は手動で防水扉を起立させた時の本発明の実施例の起立設備の配置を示す概略平面図、図２は防水扉倒伏時の本発明の実施例の縦断側面図、図３は防水扉起立時の本発明の実施例の縦断側面図で、１はピット２の左側に枢着された防水扉、３は軸４に取付けられた連結アーム５を介して空気圧シリンダー６により前記防水扉１を起立させる駆動アームである。
【００２０】
この駆動アーム３の先端にはローラ７が取り付けられており、前記空気シリンダー６に、後述の圧力ガスが挿入されると、駆動アーム３はローラ７を介して防水扉１を自動的に起立させる。尚、実施例の空気圧シリンダー６の作動ガス圧は０．５Ｍｐａである。
【００２１】
８，８は起立に要する人力を軽減させるための起立補助機構で、手動で防水扉１を起立させる時、起立角度が７５°〜８０°附近までコイルバネを内装した起立補助シリンダー９により、先端にローラ１０を付した駆動アーム１１が起立して追従し、手動による防水扉１の引上げを補助し、力のない人でも容易に防水扉１を起立させ、又倒伏させる時は急激に防水扉1が倒伏することを防止するように構成されている。
【００２２】
図４は圧力ガス供給回路を示し、１２はソケット１３、炭酸ガスボンベ１４、浸水検知カートリッジ１５及び手動用作動索１６からなる市販の炭酸ガスボンベ組立体で、炭酸ガスボンベ１４と浸水検知カートリッジ１５はソケット１３に着脱自在に取付けられ、浸水動作後、使用済みのものは交換することができる。又梅雨時や台風シーズン以外の豪雨の虞がない期間は、誤作動防止のためにカートリッジ１５及び炭酸ガスボンベ１４を取外しておくことができる。
【００２３】
なお、浸水検知カートリッジ１５は、浸水時、ソケット１３に設けられた撃針を作動させて炭酸ガスボンベ１４の封板を開口させる。又ロックピン１７を外し、手動用作動索１６を引張ることにより、撃針を作動させ、手動で炭酸ガスボンベ１４の封板を開口させることができる。
【００２４】
１８は空気圧シリンダー６と炭酸ガスボンベ組立体１２間の圧力ガス供給回路１９間に設けた減圧タンクで、炭酸ガスボンベ１４の入力ガス圧（６Ｍｐａ）を出力側のガス圧が１Ｍｐａになるように体積が設計されている。実施例の減圧タンク１８は円筒状のものである。
【００２５】
炭酸ガスボンベ組立体１２と減圧タンク１８間は鋼管２０で連結され、減圧タンク１８と空気圧シリンダー６間は取扱いガス圧が１Ｍｐａであるので、可撓性のチューブ２１で接続している。
【００２６】
減圧タンク１８と空気圧シリンダー６間の圧力ガス供給回路１９には、防水扉１の起立速度を調整するための流量調整弁２２が設けられており、この流量調整弁２２と空気圧シリンダー６間にはチーズ２３（Ｔ型継手）を介して排気用流量調整弁２４が設けられている。この排気用流量調整弁２４は、防水扉１の倒伏が適切に行い得るように調整しておく。
【００２７】
また試運転・調整用ガス供給源２５を接続するため、減圧タンク１８の出力側に弁２６を、また前記弁２６と流量調整弁２２間に、チーズ２７（Ｔ型継手）を介して、前記試運転・調整ガス供給源２５を接続するための弁２８が接続されている。なお、実施例では弁２６，２８としてボールバルブを用いた
【００２８】
前記試運転・調整用ガス供給源２５は、この種の従来装置で使用されていたガス圧が１５Ｍｐａのガス圧メータ２９付の窒素ガスボンベ３０と、減圧弁３１と、該減圧弁３１の出力ガス圧を検出するためのガス圧メータ３２とで構成されている。
【００２９】
次に本発明実施例装置の用法と動作について説明する。前述のように、本発明の圧力ガス供給方式は一回限りの使用のものであるから、防水扉１の起立速度が安全性確保のため急激のものではなく、適正な速度となるように圧力ガス供給回路１９を調整して空気圧シリンダー６に送入する圧力ガスの流量を調整しておかなければならない。
【００３０】
そのため、先ず工場又は現場において、弁２８に試運転・調整用ガス供給源２５を接続し、次いで弁２６を閉じ、減圧弁３１を調整してガス圧メータ３２を見ながら出力ガス圧を１Ｍｐａとした後、弁２８を開き、次いで流量調整弁２２を調整して防水扉１の起立速度が適正になるように空気圧シリンダー６に送入する流量を調整する。
【００３１】
この試運転・調整が終了したならば、弁２８を閉じた後弁２８から試運転・調整用ガス供給源２５を外し、次いで弁２６を開ければ準備完了である。
【００３２】
次に浸水時の動作について説明する。今、浸水検知カートリッジ１５が浸水すると、炭酸ガスボンベ１４の封板が撃針により開口し、炭酸ガスボンベ１４内の６Ｍｐａの炭酸ガスは一気に噴出し、減圧タンク１８で減圧され１Ｍｐａになり、弁２６、チーズ２７、流量調整弁２２、チーズ２３を経て空気圧シリンダー６に流入する。
【００３３】
その結果空気圧シリンダー６が動作し、軸４に取付けられた連結アーム５と駆動アーム３及びローラ１０を介して防水扉１を設定された適正な速度で起立させる。なお、ロックピン１７を外し、手動用作動索１６を引張っても防水扉１を起立させることが出来る。
【００３４】
防水扉１が起立すると、ヒンジ機構３６により、防水扉１は起立状態を維持され、排気用流量調整弁２４からガスが排出するが、手で倒伏させない限り防水扉１が倒伏することはない。
【００３５】
通常、試運転時に調整すれば、流量調整弁２２は変動しないので、炭酸ガスボンベ１４と浸水検知カートリッジ１５とを新品と交換するだけで再度防水扉１を動作させることが出来る。
【００３６】
炭酸ガスボンベ１４と浸水検知カートリッジ１５は消耗品として安価に提供されているので、使い勝手が良い。また、炭酸ガスボンベ組立体１２は勿論のこと、減圧タンク１８も小型であるばかりでなく、減圧タンク１８のガス出力側の圧力ガス供給回路１９に可撓性のチューブ２１を用いることが出来るので、実施例ではこれらの圧力ガス供給設備を圧力ガス供給設備収納ピット３３に収納するようにしたが、使い勝手の良い場所に設置することが出来る。
【００３７】
なお、この実施例では救命用浮体の膨張装置用として、手軽で安価に入手し得る市販の炭酸ガスボンベ組立体１２（炭酸ガスボンベキットとも呼ばれている）を用いたが、特製のものであってもよいことは勿論である。
【００３８】
この実施例装置では、防水扉１を倒伏させる場合、手動で行うものであるが、段落〔００２１〕に記載したように起立補助機構８，８により防水扉１が急激に倒伏することはなく安全である。
【符号の説明】
【００３９】
１                  防水扉
２                  ピット
３                  駆動アーム
４                  軸
５                  連結アーム
６                  空気圧シリンダー
７                  ローラ
８                  起立補助機構
９                  起立補助シリンダー
１０，３４          ローラ
１１                駆動アーム
１２                炭酸ガスボンベ組立体
１３                ソケット
１４                炭酸ガスボンベ
１５                浸水検知カートリッジ
１６                手動用作動索
１７                ロックピン
１８                減圧タンク
１９                圧力ガス供給回路
２０                鋼管
２１                チューブ
２２                流量調整弁
２３，２７          チーズ
２４                排気用流量調整弁
２５                試運転・調整用ガス供給源
２６，２８          弁
２９，３２          ガス圧メータ
３０                窒素ガスボンベ
３１                減圧弁
３３                圧力ガス供給設備収納ピット
３５                位置決め用突起
３６                ヒンジ機構            
【図１】
2013096093.tif 000003
【図２】
2013096093.tif 000004
【図３】
2013096093.tif 000005
【図４】
2013096093.tif 000006